(57)【要約】【課題】アナログ停波後において、ユーザの操作が煩雑になるのを抑制することが可能な放送受信装置を提供する。【解決手段】この液晶テレビジョン（放送受信装置）１００は、放送信号に含まれる現在の日付情報と、アナログ停波日の日付情報（２０１１年７月２４日）とを比較して、現在の日付情報がアナログ停波日の日付情報と一致しているまたは経過している場合に、チャンネル番号リストに対応するアナログ放送信号に対応するチャンネルを再選局するとともに、アナログチャンネルが全て再選局されない場合に、アナログ停波が行われたと判断して、チャンネル番号リスト内にアナログ放送に対応するチャンネル番号が含まれないように、チャンネル番号リストの再構築を行う制御部１８を備える。【選択図】図１２
2010245922.tif 000002
【特許請求の範囲】
【請求項１】
アナログ放送信号およびデジタル放送信号を受信する放送信号受信部と、
前記放送信号受信部により受信した前記アナログ放送信号および前記デジタル放送信号の少なくとも一方に対応するチャンネル番号を含むチャンネル番号リストが記憶された記憶部と、
前記放送信号に含まれる現在の日付情報と、アナログ停波日の日付情報とを比較して、現在の日付情報が前記アナログ停波日の日付情報と一致するかまたは経過している場合に、前記チャンネル番号リストに対応する前記アナログ放送信号に対応するチャンネルを再選局するとともに、アナログチャンネルが全て再選局されない場合に、アナログ停波が行われたと判断して、前記チャンネル番号リスト内にアナログ放送に対応するチャンネル番号が含まれないように、前記チャンネル番号リストの再構築を行う制御部とを備える、放送受信装置。
【請求項２】
前記放送信号受信部により受信されたアナログ放送信号およびデジタル放送信号に対応するテレビジョン放送を表示する表示部をさらに備え、
前記制御部は、前記チャンネル番号リストの再構築を行う際には、前記チャンネル番号リストの再構築に関する情報をユーザに対して通知する通知画面を前記表示部に表示させるように制御するように構成されている、請求項１に記載の放送受信装置。
【請求項３】
前記通知画面は、前記チャンネル番号リストの再構築を行うか否かをユーザに問い合わせる選択画面を含み、
前記制御部は、前記アナログ停波が行われたと判断した場合に、前記選択画面を前記表示部に表示させるとともに、前記選択画面において、ユーザにより前記チャンネル番号リストの再構築を行うことが選択された場合、前記チャンネル番号リストの再構築を行うように制御するように構成されている、請求項２に記載の放送受信装置。
【請求項４】
前記通知画面は、前記チャンネル番号リストの再構築確認日を設定する設定画面を含み、
前記制御部は、前記選択画面において、ユーザにより前記チャンネル番号リストの再構築を行わないことが選択された場合に、前記設定画面を前記表示部に表示させるように制御するように構成されている、請求項３に記載の放送受信装置。
【請求項５】
前記制御部は、アナログ停波が行われたと判断した際には、前記チャンネル番号リスト内のアナログ放送に対応するチャンネル番号を削除することにより、前記チャンネル番号リスト内にアナログ放送に対応するチャンネル番号が含まれないように、前記チャンネル番号リストの再構築を行うように制御するように構成されている、請求項１〜４のいずれか１項に記載の放送受信装置。
【請求項６】
前記制御部は、アナログ停波が行われたと判断した際には、前記デジタル放送信号および前記アナログ放送信号をスキャンして、選局された前記デジタル放送信号の各々にチャンネル番号を付けることにより、前記チャンネル番号リスト内にアナログ放送に対応するチャンネル番号が含まれないように、前記チャンネル番号リストの再構築を行うように制御するように構成されている、請求項１〜４のいずれか１項に記載の放送受信装置。
【請求項７】
前記制御部は、アナログ停波が行われたと判断した場合、装置本体の電源が切られる際に、前記チャンネル番号リストの再構築を行うように制御するように構成されている、請求項１〜６のいずれか１項に記載の放送受信装置。
【請求項８】
前記アナログ停波日の日付情報は、放送受信装置のファームウェアに予め組み込まれている、請求項１〜７のいずれか１項に記載の放送受信装置。
【発明の詳細な説明】
【技術分野】
【０００１】
この発明は、放送受信装置に関し、特に、放送信号受信部を備える放送受信装置に関するものである。
【背景技術】
【０００２】
従来、放送信号受信部を備える放送受信装置が知られている（たとえば、特許文献１〜５参照）。
【０００３】
上記特許文献１には、アナログ放送信号を受信するためのアナログチューナ（放送信号受信部）と、放送信号に含まれる日付情報から現在の日付情報を取得する時計情報取得部と、アナログ放送が停止される日（アナログ停波日）が記憶された記憶部と、アナログ放送信号を受信しているか否かを判定するアナログチューナオン／オフ判定部と、放送信号を選局するためのチューナ選局部とを備えた信号受信装置（放送受信装置）が開示されている。この信号受信装置では、アナログチューナオン／オフ判定部は、時計情報取得部により取得された現在の日付情報が、記憶部に予め記憶された日付情報（アナログ停波日）を経過している場合に、アナログ停波が行われたと判定するように構成されている。また、チューナ選局部によりアナログ放送信号の選局が行われ、アナログ放送信号が受信されない場合には、アナログチューナオン／オフ判定部は、アナログ停波が行われたと判定するように構成されている。また、アナログ停波が行われたと判定された場合には、アナログチューナオン／オフ判定部は、アナログチューナの電源をオフ状態にするように構成されている。
【０００４】
また、上記特許文献２には、アナログ放送信号を受信するためのアナログチューナ（放送信号受信部）と、アナログ放送信号を受信しているか否かを判定するマイコン（制御部）とを備えた放送受信装置が開示されている。この放送受信装置では、アナログチューナによりアナログ放送信号の選局が行われ、アナログ放送信号が受信されない場合には、マイコンは、アナログ停波が行われたと判定するように構成されている。このように、アナログ停波が行われたと判断された場合には、マイコンは、アナログチューナへの電力供給を停止するように構成されている。
【０００５】
また、上記特許文献３には、デジタル放送信号を受信するためのデジタルチューナ部（放送信号受信部）と、デジタル放送信号に含まれる地上アナログ放送が終了する日（アナログ停波日）の日付情報が記憶された記憶部と、アナログ停波日と現在の日付情報とを比較する日時判断部とを備えた放送受信装置が開示されている。この放送受信装置では、日時判断部は、現在の日付情報がアナログ停波日を経過している場合に、アナログ停波が行われたと判定するように構成されている。また、日時判断部によりアナログ停波が行われたと判断された場合には、アナログ放送が非表示にされるように構成されている。
【０００６】
また、上記特許文献４には、アナログ放送信号およびデジタル放送信号を受信するための放送信号受信部と、アナログ放送とデジタル放送との受信モードの切り換えを行うための操作ボタンを含む操作部と、デジタル放送信号に含まれる地上アナログ放送が終了する日（アナログ停波日）の日付情報が記憶された記憶部と、アナログ停波日と現在の日付情報とを比較する計時部とを備えた放送受信装置が開示されている。この放送受信装置では、ユーザの操作によりアナログ放送への切り換え操作が行われた際に、計時部によって現在の日付情報がアナログ停波日を経過しているか否かを判断するように構成されている。また、計時部によりアナログ停波が行われたと判断された場合には、制御部によりデジタル放送信号を受信するように制御するように構成されている。
【０００７】
また、上記特許文献５には、デジタル放送信号を受信するとともに、デジタル放送信号に含まれる地上アナログ放送が終了する日（アナログ停波日）の日付情報を抽出するデジタル受信部（放送信号受信部）と、アナログ停波日の日付情報と現在の日付情報とを比較するマイコン（制御部）とを備えたテレビジョン受信機（放送受信装置）が開示されている。このテレビジョン受信機では、マイコンは、現在の日付情報がアナログ停波日を経過している場合に、アナログ停波が行われたと判断するように構成されている。また、マイコンによりアナログ停波が行われたと判断された場合には、アナログ放送が停止されたという内容が画面に表示されるように構成されている。
【先行技術文献】
【特許文献】
【０００８】
【特許文献１】特開２００９−２１９６０号公報
【特許文献２】特開２００８−３１２１３５号公報
【特許文献３】特開２００８−３０１２２９号公報
【特許文献４】特開２００８−８５５５３号公報
【特許文献５】特開２００７−３０６０９８号公報
【発明の概要】
【発明が解決しようとする課題】
【０００９】
しかしながら、上記特許文献１〜３に開示された信号受信装置および放送受信装置では、アナログ停波後において、アナログ放送信号の受信を停止するかまたはアナログ放送を非表示にすることができる一方、アナログ放送信号に対応するアナログ放送のチャンネル番号リストは、記憶部に記憶されたままの状態になっていると考えられるため、選局する際に受信できないアナログ放送に対応したチャンネル画面が表示される場合があると考えられる。この場合、ユーザは、視聴可能な番組（デジタル放送番組）が表示されるまでチャンネルを切り換える操作を繰り返し行う必要があるため、その分、ユーザの操作が煩雑になるという問題点がある。
【００１０】
また、上記特許文献４に開示された放送受信装置では、ユーザの操作により切り換え操作が行われた際に、デジタル放送信号を受信するように制御するように構成されているため、ユーザの操作が煩雑になるという問題点がある。
【００１１】
また、上記特許文献５に開示されたテレビジョン受信機では、アナログ停波後において、アナログ放送が停止されたことが画面に表示される一方、アナログ放送信号に対応するアナログ放送のチャンネル番号リストは、記憶部に記憶されたままの状態になっていると考えられるため、選局する際に受信できないアナログ放送に対応したチャンネル画面が表示される場合があると考えられる。この場合、ユーザは、視聴可能な番組（デジタル放送番組）が表示されるまでチャンネルを切り換える操作を繰り返し行う必要があるため、その分、ユーザの操作が煩雑になるという問題点がある。
【００１２】
この発明は、上記のような課題を解決するためになされたものであり、この発明の１つの目的は、アナログ停波後において、ユーザの操作が煩雑になるのを抑制することが可能な放送受信装置を提供することである。
【課題を解決するための手段および発明の効果】
【００１３】
この発明の一の局面による放送受信装置は、アナログ放送信号およびデジタル放送信号を受信する放送信号受信部と、放送信号受信部により受信したアナログ放送信号およびデジタル放送信号の少なくとも一方に対応するチャンネル番号を含むチャンネル番号リストが記憶された記憶部と、放送信号に含まれる現在の日付情報と、アナログ停波日の日付情報とを比較して、現在の日付情報がアナログ停波日の日付情報と一致するかまたは経過している場合に、チャンネル番号リストに対応するアナログ放送信号に対応するチャンネルを再選局するとともに、アナログチャンネルが全て再選局されない場合に、アナログ停波が行われたと判断して、チャンネル番号リスト内にアナログ放送に対応するチャンネル番号が含まれないように、チャンネル番号リストの再構築を行う制御部とを備える。
【００１４】
この発明の一の局面による放送受信装置では、上記のように、制御部が、放送信号に含まれる現在の日付情報と、アナログ停波日の日付情報とを比較して、現在の日付情報がアナログ停波日の日付情報と一致するかまたは経過している場合に、チャンネル番号リストに対応するアナログ放送信号に対応するチャンネルを再選局するとともに、アナログチャンネルが全て再選局されない場合に、アナログ停波が行われたと判断して、チャンネル番号リスト内にアナログ放送に対応するチャンネル番号が含まれないように、チャンネル番号リストの再構築を行うことによって、アナログ停波日以降は、実際に放送されている視聴可能な番組（デジタル放送番組）のみが表示されるので、チャンネル番号リスト内に視聴できないアナログ放送に対応するチャンネル番号が混在した状態でユーザが視聴可能なデジタル放送が見つかるまでチャンネルを探す場合と異なり、ユーザの操作が煩雑になるのを抑制することができる。また、チャンネル番号リストに対応するアナログ放送信号に対応するチャンネルを再選局するとともに、アナログチャンネルが全て再選局されない場合に、アナログ停波が行われたと判断することによって、放送信号に含まれる現在の日付情報と、アナログ停波日の日付情報とを比較することのみにより、アナログ停波が行われたか否かを判断する場合と異なり、アナログ停波が行われたか否かが２重に判断されるので、アナログ停波が行われたか否かを正確に判断することができる。
【００１５】
上記一の局面による放送受信装置において、好ましくは、放送信号受信部により受信されたアナログ放送信号およびデジタル放送信号に対応するテレビジョン放送を表示する表示部をさらに備え、制御部は、チャンネル番号リストの再構築を行う際には、チャンネル番号リストの再構築に関する情報をユーザに対して通知する通知画面を表示部に表示させるように制御するように構成されている。このように構成すれば、ユーザは、通知画面を通してチャンネル番号リストの再構築に関する情報を容易に得ることができる。
【００１６】
この場合、好ましくは、通知画面は、チャンネル番号リストの再構築を行うか否かをユーザに問い合わせる選択画面を含み、制御部は、アナログ停波が行われたと判断した場合に、選択画面を表示部に表示させるとともに、選択画面において、ユーザによりチャンネル番号リストの再構築を行うことが選択された場合、チャンネル番号リストの再構築を行うように制御するように構成されている。このように構成すれば、選択画面において、ユーザがチャンネル番号リストの再構築を行うと選択した場合にのみチャンネル番号リストの再構築が行われるので、ユーザの意思に沿って、アナログ停波後のチャンネル番号リストの再構築を行うことができる。
【００１７】
上記通知画面を表示部に表示させるように制御するように構成されている放送受信装置において、好ましくは、通知画面は、チャンネル番号リストの再構築確認日を設定する設定画面を含み、制御部は、選択画面において、ユーザによりチャンネル番号リストの再構築を行わないことが選択された場合に、設定画面を表示部に表示させるように制御するように構成されている。このように構成すれば、ユーザが設定した日に、再度、チャンネル番号リストの再構築を行うか否かをユーザに問い合わせる選択画面が表示されるので、アナログ停波後の直後にチャンネル番号リストの再構築を行わない場合にも、チャンネル番号リストの再構築を後日確実に行うことができる。
【００１８】
上記一の局面による放送受信装置において、好ましくは、制御部は、アナログ停波が行われたと判断した際には、チャンネル番号リスト内のアナログ放送に対応するチャンネル番号を削除することにより、チャンネル番号リスト内にアナログ放送に対応するチャンネル番号が含まれないように、チャンネル番号リストの再構築を行うように制御するように構成されている。このように構成すれば、アナログ停波後において、ユーザの操作を必要とせずにアナログ放送信号を受信しないように、確実にチャンネル番号リストの構築が行われるので、再構築されたチャンネル番号リストは、デジタル放送に対応したチャンネル番号のみから構成される。これにより、ユーザは、確実にデジタル放送のみを選局することができる。
【００１９】
上記一の局面による放送受信装置において、好ましくは、制御部は、アナログ停波が行われたと判断した際には、デジタル放送信号およびアナログ放送信号をスキャンして、選局されたデジタル放送信号の各々にチャンネル番号を付けることにより、チャンネル番号リスト内にアナログ放送に対応するチャンネル番号が含まれないように、チャンネル番号リストの再構築を行うように制御するように構成されている。このように構成すれば、アナログ停波後において、ユーザの操作を必要とせずにアナログ放送信号を受信しないように、確実にチャンネル番号リストの構築が行われるので、再構築されたチャンネル番号リストは、デジタル放送に対応したチャンネル番号のみから構成されるので、ユーザは、確実にデジタル放送のみを選局することができる。
【００２０】
上記一の局面による放送受信装置において、好ましくは、制御部は、アナログ停波が行われたと判断した場合、装置本体の電源が切られる際に、チャンネル番号リストの再構築を行うように制御するように構成されている。このように構成すれば、装置の使用が終了した後にチャンネル番号リストの再構築が行われるので、ユーザの装置の使用状況を妨げることなく、チャンネル番号リストの再構築を行うことができる。
【００２１】
上記一の局面による放送受信装置において、好ましくは、アナログ停波日の日付情報は、放送受信装置のファームウェアに予め組み込まれている。このように構成すれば、たとえば、アナログ停波日が変更された場合にも、自動的に行われるファームウェアの更新時に更新用ファームウェアに変更後のアナログ停波日を組み込んでおけば、容易に、変更前のアナログ停波日の日付情報に対応するデータを変更後のアナログ停波日の日付情報に対応させることができる。
【図面の簡単な説明】
【００２２】
【図１】本発明の第１実施形態による液晶テレビジョンの回路構成を示したブロック図である。
【図２】図１に示した第１実施形態による液晶テレビジョンを操作するリモコン送信機を示した図である。
【図３】第１実施形態によるチャンネル番号リストの再構築前の状態を説明するための図である。
【図４】第１実施形態による現在の日付情報の取得方法を説明するための図である。
【図５】第１実施形態によるチャンネル番号リストの再構築を行うか否かを選択させる選択画面を示した図である。
【図６】第１実施形態によるチャンネル番号リストの再構築中であることを通知する通知画面を示した図である。
【図７】第１実施形態によるチャンネル番号リストの再構築の終了を通知する通知画面を示した図である。
【図８】第１実施形態によるチャンネル番号リストの再構築確認日の設定を行う設定画面を示した図である。
【図９】第１実施形態によるチャンネル番号リストの再構築を行わなかったことを通知する通知画面を示した図である。
【図１０】第１実施形態による再構築確認日を入力するための通知画面（入力画面）を示した図である。
【図１１】第１実施形態によるチャンネル番号リストの再構築確認を行う日を通知する通知画面を示した図である。
【図１２】第１実施形態による制御部のチャンネル番号リストの再構築を行う制御動作を示したフローチャートである。
【図１３】第１実施形態によるチャンネル番号リストに対応するチャンネルの再選局を行っている内容を説明するための概念図である。
【図１４】第１実施形態によるチャンネル番号リストの再構築後の状態を説明するための図である。
【図１５】第２実施形態による制御部のチャンネル番号リストの再構築を行う制御動作を示したフローチャートである。
【発明を実施するための形態】
【００２３】
以下、本発明の実施形態を図面に基づいて説明する。
【００２４】
（第１実施形態）
まず、図１〜図１１を参照して、本発明の第１実施形態による液晶テレビジョン１００の構成について説明する。なお、第１実施形態では、放送受信装置の一例である液晶テレビジョンに本発明を適用した場合について説明する。
【００２５】
本発明の第１実施形態による液晶テレビジョン１００は、図１に示すように、制御回路部１０が、アンテナケーブル３０および３１を介して、ＢＳ／ＣＳアンテナ４０および地上波アンテナ４１にそれぞれ接続されているとともに、本体内部で制御回路部１０から表示画面部５０およびスピーカ５１にそれぞれ接続されることによって、アナログ信号およびデジタル信号を発信する放送局から受信されたアナログ放送信号およびデジタル放送信号に対応するテレビジョン放送を表示する表示画面部５０およびスピーカ５１に出力することが可能なように構成されている。なお、表示画面部５０は、本発明の「表示部」の一例である。また、ユーザが離れた位置から液晶テレビジョン１００を操作可能とするために、図２に示すリモコン送信機６０が設けられている。
【００２６】
また、制御回路部１０は、ＢＳ／ＣＳアンテナ４０および地上波アンテナ４１を介してデジタルテレビジョン放送の放送信号を受信するデジタル放送受信部１１と、ＢＳ／ＣＳアンテナ４０および地上波アンテナ４１を介してアナログテレビジョン放送の放送信号を受信するアナログ放送受信部１２と、映像および音声信号の出入力を切り換える役割を有するＡＶセレクタ１３と、デジタル放送受信部１１からの映像・音声信号をデコード（復号）するＡＶデコーダ１４と、アナログ放送受信部１２からの映像信号をＹ／Ｃ分離する３次元Ｙ／Ｃ分離回路部１５と、ＡＶデコーダ１４および３次元Ｙ／Ｃ分離回路部１５からの映像信号の各種処理を行う映像処理部１６と、ＡＶセレクタ１３からの音声信号（ＡＶデコーダ１４を経由する音声信号を含む）を処理する音声処理部１７とを備えている。なお、デジタル放送受信部１１およびアナログ放送受信部１２は、それぞれ、本発明の「放送信号受信部」の一例である。
【００２７】
また、制御回路部１０は、上述の構成要素に加えて、液晶テレビジョン１００の全体の制御を司る制御部（ＣＰＵ）１８と、受信可能な放送信号と液晶テレビジョン１００内部のチャンネル番号とを対応付けるチャンネル設定部１９と、チャンネル設定部１９によって設定された受信可能な放送信号とチャンネル番号とを対応させたチャンネル番号リストを記憶するメモリ部２０とをさらに備えている。なお、メモリ部２０は、本発明の「記憶部」の一例である。第１実施形態では、メモリ部２０には、アナログ放送が終了（アナログ放送信号の送信が停止）されるアナログ停波日の日付情報（２０１１年７月２４日）が予め設定されたファームウェアが記憶されている。また、アナログ停波日が変更された場合には、自動的に行われるファームウェアの更新時に更新用のファームウェアに変更後のアナログ停波日を組み込んでおけば、ファームウェア内のアナログ停波日に対応する部分のデータが自動的に変更される（書き換えられる）ことにより、変更前のファームウェアを変更後のアナログ停波日に対応させて使用することが可能である。また、第１実施形態では、メモリ部２０には、デジタル放送受信部１１により受信したデジタル放送信号、および、アナログ放送受信部１２により受信したアナログ放送信号に対応するチャンネル番号を含むチャンネル番号リスト（図３参照）が記憶されている。
【００２８】
また、図１に示すように、制御回路部１０には、リモコン送信機６０からのリモコン信号を受光するとともに電気信号に変換して制御部１８に指令を与えるリモコン受光部２１が設けられている。また、制御回路部１０の各構成要素は、バス（伝送路）２２によって互いに接続されることによって、制御信号および制御上のデータを互いに通信することが可能なように構成されている。
【００２９】
また、デジタル放送受信部１１は、ＢＳ／ＣＳアンテナ４０および地上波アンテナ４１を介してデジタルテレビジョン放送の映像および音声データを含む高周波デジタル変調信号のうちから任意に選択された周波数のデジタル変調信号を取り出すとともに、選択されたデジタル変調信号を復調して出力する機能を有するように構成されている。また、デジタル放送受信部１１は、ＢＳ／ＣＳアンテナ４０および地上波アンテナ４１を介して現在の日付情報を取得することも可能とされている。具体的には、図４に示すように、デジタル放送受信部１１がデジタル放送信号に含まれるＴＳ（Ｔｒａｎｓｐｏｒｔ  Ｓｔｒｅａｍ）などのデータ信号を受信した際に、ＴＳ内のＳＴＴ（Ｓｙｓｔｅｍ  Ｔｉｍｅ  Ｔａｂｌｅ）からＳｙｎｃ  ｂｙｔｅ（０ｘ４７）を検出する。さらに、ＳＴＴ内のＰＩＤ（Ｐａｃｋｅｔ  ＩＤ）が「０ｘ１ＦＦＢ」となっているＴＳパケットの部分を検出し、Ｓｙｓｔｅｍ  Ｔｉｍｅ（ＧＰＳ日付情報）（２Ｄ  ７８  ９７  ２Ｃ）を検出することにより、現在の日付情報に関するデータが取得されるように構成されている。
【００３０】
また、第１実施形態では、制御部１８（図１参照）は、デジタル放送信号に含まれる現在の日付情報と、アナログ停波日の日付情報（２０１１年７月２４日）とを比較して、現在の日付情報がアナログ停波日の日付情報（２０１１年７月２４日）と一致しているまたは経過している場合に、メモリ部２０に記憶されているチャンネル番号リストに対応するアナログ放送信号に対応するチャンネルを再選局するとともに、アナログチャンネルが全て再選局されない場合に、アナログ停波が行われたと判断して、メモリ部２０に記憶されているチャンネル番号リスト内にアナログ放送に対応するチャンネル番号が含まれないように、チャンネル番号リストの再構築を行うように構成されている。
【００３１】
また、第１実施形態では、制御部１８（図１参照）は、チャンネル番号リストの再構築を行う際には、表示画面部５０に図５〜図１１に示すようなチャンネル番号リストの再構築に関する情報をユーザに対して通知する通知画面５０１〜５０７を表示させるように構成されている。また、通知画面５０１〜５０７には、チャンネル番号リストの再構築を行うか否かをユーザに問い合わせる選択画面５０１（図５参照）や、ユーザの操作に基づいて表示画面部５０にチャンネル番号リストの再構築確認日を設定する設定画面５０４（図８参照）などによって構成されている。
【００３２】
また、図１に示すように、ＡＶデコーダ１４は、ＡＶセレクタ１３によって分離された映像信号（一点鎖線の矢印）および音声信号（破線の矢印）のそれぞれに対してデコード処理（符号の復号化）を行い、映像データおよび音声データを生成する機能を有するように構成されている。なお、映像データ（一点鎖線の矢印）および音声データ（破線の矢印）は、それぞれ、映像処理部１６および音声処理部１７によってＤ／Ａ変換処理（デジタル／アナログ変換処理）がなされた上で、表示画面部５０およびスピーカ５１から、それぞれ出力されるように構成されている。
【００３３】
また、アナログ放送受信部１２は、ＢＳ／ＣＳアンテナ４０および地上波アンテナ４１を介してアナログテレビジョン放送の放送信号から、選択された周波数の放送信号を復調して出力する機能を有するように構成されている。また、アナログ放送受信部１２からの映像信号（実線の矢印）および音声信号（破線の矢印）は、ＡＶセレクタ１３によって分離された映像信号（コンポジット信号）が３次元Ｙ／Ｃ分離回路部１５および映像処理部１６を経由して表示画面部５０から出力されるように構成されている。また、ＡＶセレクタ１３によって分離された音声信号は、音声処理部１７を経由してスピーカ５１から出力されるように構成されている。
【００３４】
また、図２に示すように、リモコン送信機６０は、液晶テレビジョン１００の主電源をオン／オフさせる電源ボタン６１と、音声切換および入力切換などのモード切換ボタン６２と、テレビ番組のチャンネル番号を直接入力して選局するためのチャンネル入力ボタン６３と、現在選局されているチャンネル番号をアップ／ダウンさせることによって選局を行うためのチャンネルアップ／ダウンボタン６４と、音量調節ボタン６５と、表示画面部５０によって液晶テレビジョン１００の諸設定を行わせるための操作ボタン群６６とから構成されている。
【００３５】
次に、図３〜図１４を参照して、第１実施形態による液晶テレビジョン１００の制御部１８の制御動作について説明する。
【００３６】
図１２に示すように、ステップＳ１０１において、液晶テレビジョン１００の電源がＯＦＦされたか否かを判断する。液晶テレビジョン１００の電源がＯＦＦされていないと判断した場合には、電源がＯＦＦされるまでこの判断を繰り返す。また、ステップＳ１０１において、液晶テレビジョン１００の電源がＯＦＦされたと判断した場合には、ステップＳ１０２において、受信されたＴＳ（図４参照）内から現在の日付情報を取得する。そして、ステップＳ１０３に移行する。
【００３７】
次に、第1実施形態では、ステップＳ１０３において、ＴＳ内から取得した現在の日付情報が、ファームウェアに予め設定されたアナログ放送が終了するアナログ停波日の日付情報（２０１１年７月２４日）と一致しているか否か、または、経過しているか否かを判断する。一致していないまたは経過していないと判断した場合には、制御動作を終了する。一致しているまたは経過していると判断した場合には、ステップＳ１０４において、メモリ部２０に記憶されているチャンネル番号リストの再構築を行うか否かをユーザに問い合わせる選択画面５０１（図５参照）を表示画面部５０に表示させる。そして、ステップＳ１０５に移行する。
【００３８】
次に、ステップＳ１０５において、ステップＳ１０４で表示させた選択画面５０１において、ユーザによりチャンネル番号リストの再構築を行うと選択されたか否かを判断する。ユーザにより、チャンネル番号リストの再構築を行うと選択された場合には、ステップＳ１０６において、チャンネル番号リストに対応するアナログ放送信号に対応するチャンネルを再選局する。そして、ステップＳ１０７に移行する。
【００３９】
そして、第1実施形態では、ステップＳ１０７において、チャンネル番号リストに対応するアナログ放送信号に対応するアナログチャンネルの再選局結果が全て「Ｎｏ  Ｓｉｇｎａｌ」か否かを判断する。アナログチャンネルの再選局結果が全て「Ｎｏ  Ｓｉｇｎａｌ」ではないと判断した場合には、制御動作を終了する。ステップＳ１０７において、図１３に示すように、アナログチャンネルの再選局結果が全て「Ｎｏ  Ｓｉｇｎａｌ」であると判断した場合には、ステップＳ１０８において、図６に示す通知画面５０２を表示画面部５０に表示させる。そして、チャンネル番号リスト内のアナログ放送に対応するチャンネル番号を削除することにより、図１４に示すように、チャンネル番号リスト内にアナログ放送に対応するチャンネル番号が含まれないようにチャンネル番号リストの再構築が行われる。これにより、アナログ停波日以降にユーザがチャンネルの選局をした際に、表示画面部５０に「Ｎｏ  Ｓｉｇｎａｌ」が表示されるようなアナログ放送チャンネルを選局することがなくなる。すなわち、ユーザは、アナログ停波日に合わせて、アナログ停波日以降に、実際に放送されている（デジタル放送受信部１１が受信可能な）デジタル放送のみを視聴することが可能となる。そして、ステップＳ１０９において、図７に示す通知画面５０３を表示画面部５０に表示させた後、制御動作を終了する。
【００４０】
また、ステップＳ１０５において、ユーザによりチャンネル番号リストの再構築を行わないと選択された場合には、ステップＳ１１０において、図８に示すチャンネル番号リスト再構築確認日の設定を行う設定画面５０４を表示画面部５０に表示させるとともに、ユーザによりチャンネル番号リストの再構築確認日の設定を行うと選択されたか否かを判断する。チャンネル番号リストの再構築確認日の設定を行わないと判断された場合には、ステップＳ１１１において、図９に示す終了する内容の通知画面５０５を表示画面部５０に表示させる。その後、制御動作を終了する。
【００４１】
また、ステップＳ１１０において、ユーザによりチャンネル番号リストの再構築確認日の設定を行うと判断した場合には、ステップＳ１１２において、図１０に示す再構築確認日の設定画面５０６（入力画面）を表示画面部５０に表示させるとともに、ユーザにより再構築確認日が入力されたか否かを判断する。ユーザにより再構築確認日が入力されていないと判断した場合には、この判断を繰り返す。ユーザにより再構築確認日が入力されたと判断した場合には、ステップＳ１１３において、図１１に示す終了する内容の通知画面５０７を表示画面部５０に表示させた後、制御動作を終了する。
【００４２】
第１実施形態では、上記のように、制御部１８が、放送信号に含まれる現在の日付情報と、アナログ停波日の日付情報（２０１１年７月２４日）とを比較して、現在の日付情報がアナログ停波日の日付情報と一致しているまたは経過している場合に、チャンネル番号リストに対応するアナログ放送信号に対応するチャンネルを再選局するとともに、アナログチャンネルが全て再選局されない場合に、アナログ停波が行われたと判断して、チャンネル番号リスト内にアナログ放送に対応するチャンネル番号が含まれないように、チャンネル番号リストの再構築を行うことによって、アナログ停波日（２０１１年７月２４日）以降は、実際に放送されている視聴可能な番組（デジタル放送番組）のみが表示されるので、チャンネル番号リスト内に視聴できないアナログ放送に対応するチャンネル番号が混在した状態でユーザが視聴可能なデジタル放送が見つかるまでチャンネルを探す場合と異なり、ユーザの操作が煩雑になるのを抑制することができる。また、チャンネル番号リストに対応するアナログ放送信号に対応するチャンネルを再選局するとともに、アナログチャンネルが全て再選局されない場合に、アナログ停波が行われたと判断することによって、放送信号に含まれる現在の日付情報と、アナログ停波日の日付情報（２０１１年７月２４日）とを比較することのみにより、アナログ停波が行われたか否かを判断する場合と異なり、アナログ停波が行われたか否かが２重に判断されるので、アナログ停波が行われたか否かを正確に判断することができる。
【００４３】
また、第１実施形態では、上記のように、制御部１８が、チャンネル番号リストの再構築を行う際には、チャンネル番号リストの再構築に関する情報をユーザに対して通知する通知画面５０１〜５０７を表示画面部５０に表示させるように制御することによって、ユーザは、通知画面５０１〜５０７を通してチャンネル番号リストの再構築に関する情報を容易に得ることができる。
【００４４】
また、第１実施形態では、上記のように、制御部１８が、アナログ停波が行われたと判断した場合に、選択画面５０１を表示画面部５０に表示させるとともに、選択画面５０１において、ユーザによりチャンネル番号リストの再構築を行うことが選択された場合、チャンネル番号リストの再構築を行うように制御することによって、選択画面５０１において、ユーザがチャンネル番号リストの再構築を行うと選択した場合にのみチャンネル番号リストの再構築が行われるので、ユーザの意思に沿って、アナログ停波後のチャンネル番号リストの再構築を行うことができる。
【００４５】
また、第１実施形態では、上記のように、制御部１８が、選択画面５０１において、ユーザによりチャンネル番号リストの再構築を行わないことが選択された場合に、設定画面５０４を表示画面部５０に表示させるように制御することによって、ユーザが設定した日に、再度、チャンネル番号リストの再構築を行うか否かをユーザに問い合わせる選択画面５０１が表示されるので、アナログ停波後の直後にチャンネル番号リストの再構築を行わない場合にも、チャンネル番号リストの再構築を後日確実に行うことができる。
【００４６】
また、第１実施形態では、上記のように、制御部１８が、アナログ停波が行われたと判断した際には、チャンネル番号リスト内のアナログ放送に対応するチャンネル番号を削除することにより、チャンネル番号リスト内にアナログ放送に対応するチャンネル番号が含まれないように、チャンネル番号リストの再構築を行うように制御することによって、アナログ停波後において、ユーザの操作を必要とせずにアナログ放送信号を受信しないように、確実にチャンネル番号リストの構築が行われるので、再構築されたチャンネル番号リストは、デジタル放送に対応したチャンネル番号のみから構成される。これにより、ユーザは、確実にデジタル放送のみを選局することができる。
【００４７】
また、第１実施形態では、上記のように、制御部１８が、アナログ停波が行われたと判断した場合、液晶テレビジョン１００の電源が切られる際に、チャンネル番号リストの再構築を行うように制御することによって、液晶テレビジョン１００の使用が終了した後にチャンネル番号リストの再構築が行われるので、ユーザの液晶テレビジョン１００の使用状況を妨げることなく、チャンネル番号リストの再構築を行うことができる。
【００４８】
また、第１実施形態では、上記のように、アナログ停波日の日付情報を、放送受信装置１００のファームウェアに予め組み込んでおくことによって、たとえば、アナログ停波日が変更された場合にも、自動的に行われるファームウェアの更新時に更新用ファームウェアに変更後のアナログ停波日を組み込んでおけば、容易に、変更前のアナログ停波日の日付情報に対応するデータを変更後のアナログ停波日の日付情報に対応させることができる。
【００４９】
（第１実施形態の第１変形例）
次に、第１実施形態の第１変形例の構成について説明する。この第１実施形態の第１変形例による液晶テレビジョン１００では、ステップＳ１０８において、アナログ放送チャンネルに対応するチャンネルを削除することによりチャンネル番号リストの再構築を行うように制御するように構成された第１実施形態とは異なり、デジタル放送信号およびアナログ放送信号を全てスキャン（再選択）することによりチャンネル番号リストの再構築を行うように制御するように構成する例について説明する。なお、第１実施形態の第１変形例におけるその他の構成は、上記した第１実施形態と同様である。
【００５０】
次に、図６および図１２〜図１４を参照して、第１実施形態の第１変形例の液晶テレビジョン１００の制御部１８の制御動作について説明する。この第１実施形態の第１変形例の制御動作では、図１２に示すステップＳ１０７において、図１３に示すようにアナログチャンネルの再選局結果が全て「Ｎｏ  Ｓｉｇｎａｌ」であると判断された場合には、ステップＳ１０８において、通知画面５０２（図６参照）を表示画面部５０に表示する。そして、デジタル放送信号およびアナログ放送信号を全てスキャン（再選択）して、選局されたデジタル放送信号の各々にチャンネル番号を付けることにより、図１４に示すように、チャンネル番号リスト内にアナログ放送に対応するチャンネル番号が含まれないように、チャンネル番号リストの再構築を行うように制御してもよい。
【００５１】
なお、第１実施形態の第１変形例におけるその他の制御動作は、上記した第１実施形態の制御動作と同様である。
【００５２】
第１実施形態の第１変形例では、上記のように、制御部１８が、アナログ停波が行われたと判断した際には、デジタル放送信号およびアナログ放送信号をスキャンして、選局されたデジタル放送信号の各々にチャンネル番号を付けることにより、チャンネル番号リスト内にアナログ放送に対応するチャンネル番号が含まれないように、チャンネル番号リストの再構築を行うように制御することによって、アナログ停波後において、ユーザの操作を必要とせずにアナログ放送信号を受信しないように、確実にチャンネル番号リストの構築が行われるので、再構築されたチャンネル番号リストは、デジタル放送に対応したチャンネル番号のみから構成されるので、ユーザは、確実にデジタル放送のみを選局することができる。
【００５３】
なお、第１実施形態の第１変形例におけるその他の効果は、上記した第１実施形態と同様である。
【００５４】
（第１実施形態の第２変形例）
次に、第１実施形態の第２変形例の構成について説明する。この第１実施形態の第２変形例による液晶テレビジョン１００では、チャンネル番号リストの再構築を行うか否かの選択画面５０１を表示画面部５０に表示させてユーザが選択するように制御するように構成された第１実施形態とは異なり、チャンネル番号リストの再構築を行うか否かの選択画面５０１を表示させずにチャンネル番号リストの再構築を行うように制御するように構成された例について説明する。なお、第１実施形態の第２変形例におけるその他の構成は、上記した第１実施形態と同様である。
【００５５】
次に、図５および図１２を参照して、第１実施形態の第２変形例の制御動作について説明する。この第１実施形態の第２変形例の制御動作では、図１２に示すように、ステップＳ１０３において、ＴＳ内から取得した現在の日付情報が、ファームウェアに予め設定されたアナログ放送が終了するアナログ停波日の日付情報（２０１１年７月２４日）と一致しているか否か、または、経過しているか否かを判断する。一致しているまたは経過していると判断した場合には、ステップＳ１０４およびステップＳ１０５を省略してステップＳ１０６にスキップすることにより、チャンネル番号リストの再構築を行うか否かの選択画面５０１（図５参照）を表示させずにチャンネル番号リストの再構築を行うことが可能である。これにより、チャンネル番号リストの再構築を行うか否かをユーザが選択する必要がなくなる。
【００５６】
なお、第１実施形態の第２変形例におけるその他の制御動作は、上記した第１実施形態と同様である。また、第１実施形態の第２変形例における効果は、上記した第１実施形態と同様である。
【００５７】
（第２実施形態）
次に、第２実施形態の構成について説明する。この第２実施形態による液晶テレビジョン１００では、液晶テレビジョン１００の電源のＯＦＦ時に、チャンネルリストの再構築が行われるように制御するように構成された第１実施形態とは異なり、ユーザによるチャンネルの選局時に、チャンネルリストの再構築が行われるように制御するように構成された例について説明する。なお、第２実施形態のその他の構成は、上記した第１実施形態と同様である。
【００５８】
次に、図１５を参照して、第２実施形態による液晶テレビジョン１００の制御動作について説明する。この第２実施形態による液晶テレビジョン１００の制御動作では、図１５に示すように、ステップＳ２０１において、ユーザによりチャンネルの選局が行われた否かを判断する。ユーザによりチャンネルの選局が行われていないと判断した場合には、この判断を繰り返す。ステップＳ２０１において、ユーザによりチャンネルの選局が行われたと判断した場合には、ステップＳ１０２へ移行する。このように、ユーザによりチャンネルが選局されたことによって、チャンネル番号リストの再構築が行われる。
【００５９】
なお、第２実施形態のその他の制御動作は、上記した第１実施形態と同様である。また、第２実施形態の効果は、上記した第１実施形態と同様である。
【００６０】
（第２実施形態の変形例）
次に、第２実施形態の変形例について説明する。この第２実施形態の変形例による液晶テレビジョン１００では、チャンネル番号リストの再構築を行うか否かの選択画面５０１を表示画面部５０に表示させてユーザが選択するように制御するように構成された第２実施形態とは異なり、チャンネル番号リストの再構築を行うか否かの選択画面５０１を表示画面部５０に表示させずにチャンネル番号リストの再構築を行うように制御するように構成された例について説明する。なお、第２実施形態の変形例におけるその他の構成は、上記した第２実施形態と同様である。
【００６１】
次に、図１５を参照して第２実施形態の変形例の制御動作について説明する。この第２実施形態の変形例の制御動作では、ステップＳ１０３において、ＴＳ内から取得した現在の日付情報が、ファームウェアに予め設定されたアナログ放送が終了するアナログ停波日の日付情報（２０１１年７月２４日）と一致しているか否か、または、経過しているか否かを判断する。一致しているまたは経過していると判断した場合には、ステップＳ１０４およびステップＳ１０５を省略してステップＳ１０６にスキップさせることにより、チャンネル番号リストの再構築を行うか否かの選択画面５０１を表示画面部５０に表示させずにチャンネル番号リストの再構築を行うことが可能である。これにより、チャンネル番号リストの再構築を行うか否かをユーザが選択する必要がなくなる。
【００６２】
なお、第２実施形態の変形例のその他の制御動作は、上記した第２実施形態と同様である。また、第２実施形態の変形例の効果についても、上記した第１実施形態と同様である。
【００６３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６４】
たとえば、上記第１および第２実施形態では、放送受信装置の一例として液晶テレビジョンを適用する例を示したが、本発明はこれに限らず、液晶テレビジョン以外の放送受信装置にも本発明を適用可能である。
【００６５】
また、上記第１および第２実施形態では、現在の日付情報をＴＳに含まれるデータから取得する例について説明したが、本発明はこれに限らず、ＴＳ以外にＥＰＧ（Ｅｌｅｃｔｒｉｃ  Ｐｒｏｇｒａｍ  Ｇｕｉｄｅ：電子番組表）などの放送信号に含まれるデータから現在の日付情報を取得してもよい。
【００６６】
また、上記第１および第２実施形態では、液晶テレビジョンの電源がＯＦＦされる際、または、ユーザによりチャンネルが選局される際に、チャンネル番組リストの再構築が行われる例を示したが、本発明はこれに限らず、液晶テレビジョンの電源がＯＦＦされる際、または、ユーザによりチャンネルが選局される際以外のタイミングでチャンネル番号リストの再構築が行われてもよい。
【００６７】
また、上記第１および第２実施形態では、アナログ停波日の日付情報をファームウェアに予め組み込んでおく例を示したが、本発明はこれに限らず、アナログ停波日の日付情報を独立してメモリ部に記憶させてもよい。
【符号の説明】
【００６８】
１１  デジタル放送受信部（放送信号受信部）
１２  アナログ放送受信部（放送信号受信部）
１８  制御部
２０  メモリ部（記憶部）
５０  表示画面部（表示部）
１００  液晶テレビジョン（放送受信装置）
５０１  選択画面（通知画面）
５０２  通知画面
５０３  通知画面
５０４  設定画面（通知画面）
５０５  通知画面
５０６  通知画面
５０７  通知画面
【図１】
2010245922.tif 000003
【図２】
2010245922.tif 000004
【図３】
2010245922.tif 000005
【図４】
2010245922.tif 000006
【図５】
2010245922.tif 000007
【図６】
2010245922.tif 000008
【図７】
2010245922.tif 000009
【図８】
2010245922.tif 000010
【図９】
2010245922.tif 000011
【図１０】
2010245922.tif 000012
【図１１】
2010245922.tif 000013
【図１２】
2010245922.tif 000014
【図１３】
2010245922.tif 000015
【図１４】
2010245922.tif 000016
【図１５】
2010245922.tif 000017